(57)【要約】【課題】簡単な構造であって収納物品の防水機能に優れた防水鞄および既存の貸金庫システムを容易に防水仕様に変更可能な貸金庫システムを提供する。【解決手段】貸金庫システムにおいて、保護箱の内部に、上面部５と、底面部６と、第１側面部７、第２側面部８、第３側面部９、第４側面部１０とを有した略方形体形状を呈し、スライドファスナ４が第１側面部７から少なくとも第２側面部８までにかけて水平状に配され、スライダ１２の閉端部１４よりも第４側面部１０寄りの位置にファスナ開補助引き手１５が設けられ、閉端部１４よりも第２側面部８寄りの位置にファスナ閉補助引き手１６Ａ，１６Ｂが設けられた物品収納用の防水鞄１を備える。【選択図】図３
2014184051.tif 000002
【特許請求の範囲】
【請求項１】
防水性の材料により成形された鞄本体と、該鞄本体の開閉口を開閉する防水性のスライドファスナと、を備えて構成されていることを特徴とする防水鞄。
【請求項２】
前記鞄本体は、上面部と、底面部と、第１側面部およびこの第１側面部から順に隣り合う第２側面部、第３側面部、第４側面部とを有した略方形体形状を呈し、
前記スライドファスナは、その閉端部が位置する第１側面部から少なくとも第２側面部までにかけて水平状に配され、
前記閉端部よりも第４側面部寄りの位置に、第１側面部での前記スライドファスナのスライダの開移動方向と反対方向に延設される若しくは傾倒自在なファスナ開補助引き手が設けられ、
前記閉端部よりも第２側面部寄りの位置に、第１側面部での前記スライドファスナのスライダの閉移動方向と反対方向に延設される若しくは傾倒自在なファスナ閉補助引き手が設けられていることを特徴とする請求項１に記載の防水鞄。
【請求項３】
前記ファスナ開補助引き手は、第１側面部に設けられ、
前記ファスナ閉補助引き手は、上面部および底面部における各第１側面部と第２側面部とのコーナー部に設けられていることを特徴とする請求項２に記載の防水鞄。
【請求項４】
顧客毎に設定された物品収納用の保護箱を貸金庫室に格納管理する貸金庫システムにおいて、
請求項１ないし請求項３のいずれか一項に記載の防水鞄を前記保護箱の内部に出し入れ自在に備えていることを特徴とする貸金庫システム。
【発明の詳細な説明】
【技術分野】
【０００１】
本発明は、防水鞄およびこれを備えた貸金庫システムに関する。
【背景技術】
【０００２】
一般に金融機関等の貸金庫システムでは、顧客毎に物品収納用の保護箱を割り与え、その保護箱を貸金庫室にて格納管理している（たとえば特許文献１参照）。
【先行技術文献】
【特許文献】
【０００３】
【特許文献１】特開２０１０−１００３６４号公報
【発明の概要】
【発明が解決しようとする課題】
【０００４】
従来の貸金庫システムは、津波等の水害で貸金庫室が浸水することを想定しておらず、そのため保護箱も防水仕様とはなっていない。保護箱は一般に金属製等の筐体からなり、その開閉構造としては、特許文献１に記載されているようなヒンジを中心に開閉蓋が回動開閉するものや蓋がスライド開閉するものなどが挙げられる。これら保護箱を防水仕様にするためには先ず開閉蓋周りを確実にシールする必要があるが、そのシール構造は複雑になりやすく、従来既存の保護箱を容易に防水仕様に変更できないという問題がある。また、仮に貸金庫室の浸水によって保護箱が流された場合には、周りの物とぶつかって保護箱が変形することによりシール部の機能が損なわれるおそれがある。
【０００５】
本発明は、このような問題を解決するために創作されたものであり、簡単な構造であって収納物品の防水機能に優れる防水鞄および既存の貸金庫システムを容易に防水仕様に変更可能な貸金庫システムを提供することを目的としている。
【課題を解決するための手段】
【０００６】
本発明は、前記課題を解決するため、防水性の材料により成形された鞄本体と、該鞄本体の開閉口を開閉する防水性のスライドファスナと、を備えて構成されている防水鞄とした。
【０００７】
この防水鞄によれば、鞄本体の開閉口をスライドファスナにより開閉する構造にしたことで、防水性を確保しつつ、製作の容易性と顧客の物品の出し入れの操作性の両立を図ることができる。
【０００８】
また、本発明は、前記鞄本体は、上面部と、底面部と、第１側面部およびこの第１側面部から順に隣り合う第２側面部、第３側面部、第４側面部とを有した略方形体形状を呈し、前記スライドファスナは、その閉端部が位置する第１側面部から少なくとも第２側面部までにかけて水平状に配され、前記閉端部よりも第４側面部寄りの位置に、第１側面部での前記スライドファスナのスライダの開移動方向と反対方向に延設される若しくは傾倒自在なファスナ開補助引き手が設けられ、前記閉端部よりも第２側面部寄りの位置に、第１側面部での前記スライドファスナのスライダの閉移動方向と反対方向に延設される若しくは傾倒自在なファスナ閉補助引き手が設けられていることを特徴とする。
【０００９】
一般に防水性のスライドファスナは、閉端部における防水性を確保するために、閉端部周りのエレメントとスライダとの隙間が密に設定されており、閉端部でのスライダの開け閉めにはかなり強い力が必要になる。本発明によれば、防水鞄の開閉口を開く際には、一方の手でファスナ開補助引き手をスライダの開移動方向と反対方向に引っ張りつつ、他方の手でスライダを引っ張るという簡単な操作で、スライダを閉端部から容易に移動させて防水鞄を開くことができる。そして、防水鞄の開閉口を閉じる際には、他方の手でファスナ閉補助引き手をスライダの閉移動方向と反対方向に引っ張りつつ、一方の手でスライダを引っ張るという簡単な操作で、スライダを容易に閉端部に移動させて防水鞄を閉じることができる。
【００１０】
また、本発明は、前記ファスナ開補助引き手は、第１側面部に設けられ、前記ファスナ閉補助引き手は、上面部および底面部における各第１側面部と第２側面部とのコーナー部に設けられていることを特徴とする。
【００１１】
ファスナ開補助引き手およびファスナ閉補助引き手は、スライダに加わる力の作用の関係から、共に第１側面部に設けることが最も望ましい。しかし、ファスナ閉補助引き手については第１側面部に設けると引き手がスライドファスナに噛み込まれるおそれがある。したがって、ファスナ開補助引き手については第１側面部に設け、ファスナ閉補助引き手については、上面部および底面部における各第１側面部と第２側面部とのコーナー部に設けることで、スライダに加わる力の低下を抑えつつ、スライドファスナへの噛み込み問題を解消できる。
【００１２】
また、本発明は、顧客毎に設定された物品収納用の保護箱を貸金庫室に格納管理する貸金庫システムにおいて、前記防水鞄を前記保護箱の内部に出し入れ自在に備えていることを特徴とする。
【００１３】
この貸金庫システムによれば、たとえば保護箱が水に流され、周りの物とぶつかって変形し、隙間から保護箱内に水が浸入しても防水鞄により収納物品を保護できる。本発明によれば、既存の貸金庫室や保護箱等の貸金庫設備に何ら防水加工を施すことなく、保護箱内の物品を水害から守ることができる。
【発明の効果】
【００１４】
本発明によれば、簡単な構造となって、製作の容易性と顧客の物品の出し入れの操作性の両立を図れる防水鞄となる。また、この防水鞄を保護箱の内部に備える構成にすることで、既存の貸金庫室や保護箱等の貸金庫設備に何ら防水加工を施すことなく、保護箱内の物品を水害から守ることができる。
【図面の簡単な説明】
【００１５】
【図１】貸金庫システムの一例を示す外観斜視図である。
【図２】保護箱の一例を示す外観斜視図である。
【図３】本発明に係る防水鞄の外観斜視図であり、（ａ），（ｂ）はそれぞれ閉じた状態、開いた状態を示す。
【図４】本発明に係る防水鞄の平面図である。
【図５】防水鞄を開くときの作用図である。
【図６】防水鞄を閉じるときの作用図である。
【図７】防水鞄の変形例の外観斜視図である。
【発明を実施するための形態】
【００１６】
以下、本発明に係る防水鞄およびこれを備える貸金庫システムの好適な実施形態を説明する。先ず、図１を参照して貸金庫システムの概略構成を説明する。貸金庫システム５１は、顧客が利用するブース５２と、仕切壁５３を隔ててブース５２に隣接する貸金庫室５４とを備えている。ブース５２には、顧客が操作する操作部や貸金庫室５４から搬送されてきた保護箱５５を取り出し・返却するための保護箱利用口が設けられたブース機器５６が設置されている。貸金庫室５４においては、複数の保護箱５５がラック５７に格納されている。
【００１７】
保護箱５５は、顧客毎に設定された物品収納用の箱体であり、たとえば図２に示すように方形体形状を呈した剛性のある筐体から構成されている。上面には、錠５５ｂの施解錠によってヒンジ周りに回動開閉可能となる開閉蓋５５ａが設けられている。
【００１８】
保護箱５５の内部には、保護箱５５に対して出し入れ自在な物品収納用の防水鞄１が備えられている。図３において、防水鞄１は、防水性の材料（本実施形態ではポリ塩化ビニル（ＰＶＣ）等のプラスチック材料）により成形された鞄本体２と、鞄本体２の開閉口３を開閉する防水性のスライドファスナ４と、を備えて構成されている。
【００１９】
図３または図４において、鞄本体２は、上面部５と、底面部６と、第１側面部７およびこの第１側面部７から順に隣り合う第２側面部８、第３側面部９、第４側面部１０とを有した、高さ方向に扁平の略方形体形状を呈しており、ある程度の柔軟性を有している。なお、図４に示すように鞄本体２は平面視して長方形を呈しており、本実施形態では短辺の側面の一つを第１側面部７として説明するが、本発明は長辺の側面の一つを第１側面部７とした場合でも適用可能である。
【００２０】
なお、本実施形態においては、鞄本体２は複数の防水性の材料およびスライドファスナ４を繋ぎ合わせることで略方形体形状の本体として作製されているが、この繋ぎ合わせは高周波溶着などの熱による溶着が好ましい。
また、鞄本体２は、鞄本体２の外側を構成する防水性の材料（表地）と、外側の防水性材料とは別に内側に配される防水性の材料（裏地）とを備える構成が好ましい。さらに、表地と裏地とは実質的に固着されておらず、表地と裏地との間に空気層を有する構成とすることが好ましい。このような構成にすることにより、防水鞄１の防水性を高めることができる。
【００２１】
スライドファスナ４は、一対のファスナーテープにそれぞれ固着された一対のエレメント列１１Ａ，１１Ｂと、エレメント列１１Ａ，１１Ｂ同士を噛み合わせるまたは噛み合いを外すスライダ１２と、を備えて構成されている。スライダ１２には、指をかけるための取手１３が取り付けられている。スライドファスナ４は、その閉端部１４が位置した第１側面部７から第２側面部８を経由して第３側面部９までにかけて水平状に配されている。図４における符号２０は、スライドファスナ４の開端部を示す。
【００２２】
スライドファスナ４は、閉端部１４における防水性を確保するために、ファスナーテープにおいて、織成或いは編成されたファスナーテープ生地のうち、少なくとも表裏面およびエレメント列１１Ａ，１１Ｂが固着された側縁がエラストマー製合成樹脂（例えばポリウレタン等）などで被覆されている。また、エレメント列１１Ａ，１１Ｂを構成する複数のエレメントは、合成樹脂をファスナーテープに一体射出することによって固着されており、エレメント列１１Ａ，１１Ｂ同士が噛み合わされたときには、ファスナーテープの側縁が互いに密接された状態となるように構成されている。さらにファスナーテープの両端部には、一対のファスナーテープが互いに連結するようにして閉端部１４に上止、開端部２０に下止が一体的に射出成型されている。なお、上止および下止もエラストマー製合成樹脂であることが好ましく、上止は、より防水性を向上させるために、上止の一部がスライダ１２のエレメントが挿通されるエレメント挿通路内に収納可能に成形されている。
なお、防水性スライドファスナ４の好ましい形態として上記の通り説明したが、本発明で使用される防水性スライドファスナ４は上記構成に限定されない。すなわち、鞄本体２を使用する際、目的に応じた防水性能を有するスライドファスナであればなんでもよい。
【００２３】
スライドファスナ４は上記のような構成からなるので、閉端部１４周りのエレメント列１１Ａ，１１Ｂとスライダ１２との隙間が密に設定されており、閉端部１４からスライダ１２を引っ張って開け始めるときと、スライダ１２を閉端部１４まで閉め切るときにかなり強い力が必要になる。この場合、顧客は一方の手で鞄本体２を強く握って支持しつつ、他方の手でスライダ１２を引っ張るという、力の入りづらい面倒な開け閉め操作になることが考えられる。
【００２４】
この問題に対し、本発明の防水鞄１は、閉端部１４よりも第４側面部１０寄りの位置に、第１側面部７でのスライダ１２の開移動方向Ｐと反対方向に延設される若しくは傾倒自在なファスナ開補助引き手１５が設けられている。本実施形態では、ファスナ開補助引き手１５は第1側面部７に設けられている。そして、閉端部１４よりも第２側面部８寄りの位置に、第１側面部７でのスライダ１２の閉移動方向Ｑと反対方向に延設される若しくは傾倒自在なファスナ閉補助引き手１６Ａ，１６Ｂが設けられている。本実施形態では、ファスナ閉補助引き手１６Ａ，１６Ｂは、上面部５および底面部６における各第１側面部７と第２側面部８とのコーナー部Ｃに設けられている。
【００２５】
ここで、「閉端部１４よりも第４側面部１０寄りの位置」とは、図４に示すように、閉端部１４を通って第２側面部８(第４側面部１０)と平行な仮想線１７よりも第４側面部１０寄りの位置を意味し、「閉端部１４よりも第２側面部８寄りの位置」とは、仮想線１７よりも第２側面部８寄りの位置を意味する。力の作用点の関係から、ファスナ開補助引き手１５は、閉端部１４よりも第４側面部１０寄りの位置であって、かつ本実施形態のように第１側面部７に若しくはなるべく第１側面部７に近い位置に設けることが望ましい。同様に、ファスナ閉補助引き手１６Ａ，１６Ｂも、閉端部１４よりも第２側面部８寄りの位置であって、かつ第１側面部７に若しくはなるべく第１側面部７に近い位置に設けることが望ましい。
【００２６】
なお、ファスナ開補助引き手１５およびファスナ閉補助引き手１６Ａ，１６Ｂをスライドファスナ４に対して規定するならば、スライダ１２の摺動方向に対してスライドファスナ４の閉端部１４側を上方向、開端部２０側を下方向としたときに、ファスナ開補助引き手１５は、閉端部１４よりも上方向側に設けられ、ファスナ閉補助引き手１６Ａ，１６Ｂは、閉端部１４よりも下方向側に設けられている。
さらに、ファスナ開補助引き手１５は、エレメント列１１Ａ，１１Ｂの延長線上に設けられており、ファスナ閉補助引き手１６Ａ，１６Ｂは、エレメント列１１Ａ，１１Ｂを中心にして左右対称の位置に設けられている。
【００２７】
ファスナ開補助引き手１５は、たとえば指を引っ掛け可能な柔軟な環状の紐体から構成されている。ファスナ開補助引き手１５は、鞄本体２に溶着，縫合，一体成形等により取り付けられた引き手取付け座１８に対し、リング片１９を介して、鉛直軸周りに１８０度傾倒可能となるように連結されている。ファスナ閉補助引き手１６Ａ，１６Ｂも、指を引っ掛け可能な柔軟な環状の紐体から構成されており、引き手取付け座１８に対し、リング片１９を介して、水平軸周りに１８０度傾倒可能となるように連結されている。
【００２８】
「作用」
閉端部１４よりも第４側面部１０寄りの位置にファスナ開補助引き手１５が設けられていることにより、防水鞄１を開く際には、図５に示すように一方の手でファスナ開補助引き手１５をスライダ１２の開移動方向Ｐと反対方向に引っ張りつつ、他方の手でスライダ１２の取手１３を開移動方向Ｐに引っ張る。これにより、簡単な操作で、スライダ１２を閉端部１４から容易に移動させて防水鞄１を開くことができる。
【００２９】
特にファスナ開補助引き手１５は第１側面部７に設けられ、しかも第１側面部７におけるスライドファスナ１４の延長上に位置しているので、ファスナ開補助引き手１５の引っ張り力が開移動方向Ｐの力の一部としてスライダ１２に効果的に伝わる。
【００３０】
そして、閉端部１４よりも第２側面部８寄りの位置にファスナ閉補助引き手１６Ａ，１６Ｂが設けられていることにより、防水鞄１を閉じる際には、図６に示すように他方の手でファスナ閉補助引き手１６Ａ，１６Ｂをスライダ１２の閉移動方向Ｑと反対方向に引っ張りつつ、一方の手でスライダ１２の取手１３を閉移動方向Ｑに引っ張る。これにより、簡単な操作で、スライダ１２を容易に閉端部１４まで移動させて防水鞄１を閉じることができる。
【００３１】
ファスナ閉補助引き手１６Ａ，１６Ｂについても力の作用の点から第１側面部７に設けることが望ましいのであるが、仮に第１側面部７に設けるとファスナ閉補助引き手１６Ａ，１６Ｂがスライドファスナ４に噛み込まれるおそれがある。したがって、ファスナ閉補助引き手１６Ａ，１６Ｂを第１側面部７に近いコーナー部Ｃに設けることで、ファスナ閉補助引き手１６Ａ，１６Ｂの引っ張り力を閉移動方向Ｑの力の一部としてスライダ１２に効果的に伝えることができ、かつスライドファスナ４への噛み込みの問題を解消することができる。
【００３２】
また、ファスナ閉補助引き手１６Ａ，１６Ｂのどちらか一方のみを上面部５または底面部６に設けた場合には、引っ張り力の作用点がスライドファスナ４に対して高さ方向にずれてしまうことになるが、本発明のようにファスナ閉補助引き手１６Ａ，１６Ｂの両方を設けることにより、図６に示すように指でファスナ閉補助引き手１６Ａ，１６Ｂの両方を引っ掛けて引っ張ることにより、引っ張り力の作用点をスライドファスナ４と同じ高さにすることができ、この点からもファスナ閉補助引き手１６Ａ，１６Ｂの引っ張り力を閉移動方向Ｑの力の一部としてスライダ１２に効果的に伝えることができる。
【００３３】
以上、本発明の好適な実施形態を説明した。防水鞄１は、そのスライドファスナ４が、図７に示すように、第１側面部７から第２側面部８までの２側面にわたって配されたものでもよいし、図示しないが、第１側面部７から第２側面部８，第３側面部９を経由して第４側面部１０までの４側面にわたって配されたものでもよい。
【００３４】
また、ファスナ開補助引き手１５として、開移動方向Ｐと反対方向に傾倒自在な構造として説明したが、開移動方向Ｐと反対方向に固定的に延設された構造のものでもよい。
同様に、ファスナ閉補助引き手１６Ａ，１６Ｂとして、閉移動方向Ｑと反対方向に傾倒自在な構造として説明したが、閉移動方向Ｑと反対方向に固定的に延設された構造のものでもよい。
【００３５】
また、本発明は、図１に示した貸金庫システムに限定されず、たとえば顧客が店員とともに貸金庫室に入って保護箱を利用するシステムに対しても勿論適用可能である。
【符号の説明】
【００３６】
１      防水鞄
２      鞄本体
３      開閉口
４      スライドファスナ
５      上面部
６      底面部
７      第１側面部
８      第２側面部
９      第３側面部
１０      第４側面部
１２      スライダ
１３      取手
１４      閉端部
１５      ファスナ開補助引き手
１６Ａ，１６Ｂ  ファスナ閉補助引き手
Ｃ      コーナー部
Ｐ      開移動方向
Ｑ      閉移動方向
【図１】
2014184051.tif 000003
【図２】
2014184051.tif 000004
【図３】
2014184051.tif 000005
【図４】
2014184051.tif 000006
【図５】
2014184051.tif 000007
【図６】
2014184051.tif 000008
【図７】
2014184051.tif 000009